【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
電子デバイスにおいて、複数のターゲットキーワードからなるリストを受信することと、前記リストが通信ネットワークを介して受信される、
前記電子デバイスにおいて、前記複数のターゲットキーワードからなる前記リストから特定のターゲットキーワードを選択するユーザ入力を受信することと、
前記ユーザ入力に応答して、
前記通信ネットワークを介して、前記電子デバイスにおいて、キーワードデータファイルを受信することと、前記キーワードデータファイルは、前記特定のターゲットキーワードに関するキーワードモデルを含み、互換性情報を含む、
前記互換性情報に基づいて、前記キーワードデータファイルが前記電子デバイスのキーワード検出ユニットとの互換性があるかどうかを決定することと、
前記キーワードデータファイルが前記キーワード検出ユニットとの互換性がないという決定に基づいて前記キーワードモデルの第２のバージョンを受信することと、
前記電子デバイスにおいて受信された入力音が前記特定のターゲットキーワードを含むことを、前記キーワードモデルに基づいて検出したことに応答して前記電子デバイスの機能がアクティブ化されるように、前記電子デバイスにおいて、前記機能に前記特定のターゲットキーワードを割り当てることと
を備える方法。
【請求項２】
前記電子デバイスにおいて、応答音データを受信することと、
前記特定のターゲットキーワードが前記入力音に含まれるかどうかを検出することと、
前記入力音に前記特定のターゲットキーワードが含まれることを検出したことに応答して、前記応答音データに基づいて、前記電子デバイスにおいて応答音を出力することと
をさらに備える、請求項１に記載の方法。
【請求項３】
前記キーワードデータファイルが前記キーワード検出ユニットとの互換性があるという決定に応答して、前記キーワードデータファイルから前記キーワードモデルを抽出し、前記キーワードモデルを記憶すること
をさらに備える、請求項１に記載の方法。
【請求項４】
前記キーワードモデルの前記第２のバージョンが前記キーワード検出ユニットとの互換性があり、前記キーワードモデルの前記第２のバージョンを記憶することとをさらに備える、請求項１に記載の方法。
【請求項５】
前記キーワードデータファイルが前記キーワード検出ユニットとの互換性がないという決定に応答して、
前記通信ネットワークを介してサーバに、前記電子デバイス、前記キーワード検出ユニット、または両方を記述している情報を送ることと、ここにおいて、前記サーバが前記情報に基づいて前記キーワードモデルの前記第２のバージョンを選択し、ここにおいて、前記キーワードモデルの前記第２のバージョンが前記キーワード検出ユニットとの互換性がある、
前記サーバから前記キーワードモデルの前記第２のバージョンを受信することと、
前記電子デバイスにおいて、前記キーワードモデルの前記第２のバージョンを記憶することと
をさらに備える、請求項１に記載の方法。
【請求項６】
前記キーワードデータファイルが前記キーワード検出ユニットとの互換性がないという決定に応答して、前記キーワードモデルを前記第２のバージョンに変換することと、ここにおいて、前記キーワードモデルの前記第２のバージョンが前記キーワード検出ユニットとの互換性があり、前記キーワードモデルの前記第２のバージョンを記憶することとをさらに備える、請求項１に記載の方法。
【請求項７】
前記機能に前記特定のターゲットキーワードを割り当てることは、合成キーワードモデルを形成するために、前記キーワードモデルを、前記複数のターゲットキーワードからの第２の特定のターゲットキーワードに関連する少なくとも１つの他のキーワードモデルと合成することを備え、前記第２の特定のターゲットキーワードは、前記電子デバイスの少なくとも１つの他の機能に関連付けられる、請求項１に記載の方法。
【請求項８】
前記電子デバイスにおいて前記入力音を受信することと、
前記合成キーワードモデルに基づいて、前記特定のターゲットキーワード、前記第２の特定のターゲットキーワード、またはこれらの組合せが前記入力音に含まれるかどうかを、前記電子デバイスにおいて検出することと、
前記特定のターゲットキーワードが前記入力音に含まれることを検出したことに応答して、前記機能を実行することと、
前記第２の特定のターゲットキーワードが前記入力音に含まれることを検出したことに応答して、前記少なくとも１つの他の機能を実行することと
をさらに備える、請求項７に記載の方法。
【請求項９】
前記キーワードデータファイルはアプリケーションファイルを含み、前記方法は、前記アプリケーションファイルから前記キーワードモデルを抽出することをさらに備え、ここにおいて前記特定のターゲットキーワードが割り当てられる前記機能は、アプリケーションファイルをアクティブ化することを含む、請求項１に記載の方法。
【請求項１０】
前記特定のターゲットキーワードに関連する音声トーンモデルを受信することをさらに備え、ここにおいて前記音声トーンモデルは、前記電子デバイスによって出力された音声の音声トーンを修正するように適合される、請求項１に記載の方法。
【請求項１１】
前記音声トーンモデルは、テキストから変換された音声の前記音声トーンを修正するように適合され、前記方法は、
前記電子デバイスにおいて前記入力音を受信することと、
前記キーワードモデルに基づいて前記入力音において前記特定のターゲットキーワードを検出することと、
前記入力音に前記特定のターゲットキーワードが含まれることを検出したことに応答して、前記特定のターゲットキーワードに関連する前記音声トーンモデルに基づいて、前記テキストから変換された前記音声の前記音声トーンを修正することと
をさらに備える、請求項１０に記載の方法。
【請求項１２】
前記電子デバイスにおいて前記入力音を受信することと、
前記キーワードモデルに基づいて前記入力音において前記特定のターゲットキーワードを検出することと、
前記特定のターゲットキーワードが前記入力音に含まれることを検出したことに応答して、前記機能をアクティブ化することと、ここにおいて、前記機能をアクティブ化することは、前記電子デバイスに前記機能を実行させる命令を実行することを備える、
をさらに備える、請求項１に記載の方法。
【請求項１３】
前記機能は、音声アシスタントをアクティブ化すること、カメラをアクティブ化すること、音楽プレーヤをアクティブ化すること、ボイスレコーダをアクティブ化すること、写真を撮ること、前記電子デバイスをロック解除すること、またはこれらの組合せを備える、請求項１に記載の方法。
【請求項１４】
前記機能に前記特定のターゲットキーワードを割り当てるより前に、前記電子デバイスのユーザインターフェースを介して前記機能の選択を受信することをさらに備える、請求項１に記載の方法。
【請求項１５】
複数のターゲットキーワードからなるリストから特定のターゲットキーワードを選択する入力を受信するためのユーザインターフェースユニットと、
前記入力に応答して、通信ネットワークを介して、キーワードデータファイルを受信するように構成されたダウンロード管理ユニットと、前記キーワードデータファイルは、前記特定のターゲットキーワードのためのキーワードモデルを含み、互換性情報を含む、
前記互換性情報に基づいて、前記キーワードデータファイルがキーワード検出ユニットとの互換性があるかどうかを決定するように構成された確認ユニットと、ここにおいて、前記ダウンロード管理ユニットは、前記キーワードデータファイルが前記キーワード検出ユニットとの互換性がないという決定に基づいて、前記キーワードモデルの第２のバージョンを受信するように構成される、
電子デバイスにおいて受信された入力音が前記特定のターゲットキーワードを含むことを、前記キーワードモデルに基づいて検出したことに応答して前記電子デバイスの機能がアクティブ化されるように、前記入力に応答して、前記機能に前記特定のターゲットキーワードを割り当てるように構成されたキーワード設定ユニットと
を備える電子デバイス。
【請求項１６】
前記ダウンロード管理ユニットは、応答音データを受信するようにさらに構成され、前記応答音データは、前記入力音に前記特定のターゲットキーワードが含まれるという検出を示す応答音を生成するために使用される、請求項１５に記載の電子デバイス。
【請求項１７】
前記入力音を受信するように構成された音センサーと、ここにおいて、前記キーワード検出ユニットは、前記キーワードモデルに基づいて前記入力音に前記特定のターゲットキーワードが含まれるかどうかを検出するように構成される、
前記入力音に前記特定のターゲットキーワードが含まれることを検出したことに応答して、前記特定のターゲットキーワードに関連する前記応答音データに基づいて前記応答音を生成するように構成された機能管理ユニットと
をさらに備える、請求項１６に記載の電子デバイス。
【請求項１８】
前記ダウンロード管理ユニットは、テキストから変換された音声の音声トーンを修正するように適合された音声トーンモデルを受信するようにさらに構成される、請求項１５に記載の電子デバイス。
【請求項１９】
前記入力音を受信するように構成された音センサーと、
前記キーワードモデルに基づいて前記入力音に前記特定のターゲットキーワードが含まれることを検出するように構成されたキーワード検出ユニットと、
前記入力音における前記特定のターゲットキーワードの検出に応答して、前記音声トーンモデルに基づいて、前記テキストから変換された前記音声の前記音声トーンを修正するように構成されたテキスト音声（ＴＴＳ）変換ユニットと
をさらに備える、請求項１８に記載の電子デバイス。
【請求項２０】
前記キーワード設定ユニットは、合成キーワードモデルを形成するために、前記キーワードモデルを、第２の特定のターゲットキーワードに関連する少なくとも１つの他のキーワードモデルと合成するようにさらに構成され、ここにおいて前記第２の特定のターゲットキーワードは、前記電子デバイスの少なくとも１つの他の機能に関連付けられる、請求項１５に記載の電子デバイス。
【請求項２１】
前記入力音を受信するように構成された音センサーと、
前記合成キーワードモデルに基づいて前記入力音にキーワードが含まれるかどうかを検出するように構成されたキーワード検出ユニットと、
前記合成キーワードモデルに基づいて前記入力音における前記特定のターゲットキーワードの検出に応答して、前記機能をアクティブ化することと、
前記合成キーワードモデルに基づいて前記入力音における前記第２の特定のターゲットキーワードの検出に応答して、前記少なくとも１つの他の機能をアクティブ化することと
を行うように構成された機能管理ユニットと
をさらに備える、請求項２０に記載の電子デバイス。
【請求項２２】
前記ダウンロード管理ユニットは、前記通信ネットワークを介して、アプリケーションファイルを受信するように構成され、ここにおいて前記アプリケーションファイルは、前記キーワードデータファイルを含み、前記電子デバイスは、前記アプリケーションファイルから前記キーワードデータファイルを抽出するように構成された抽出ユニットをさらに備え、ここにおいて前記キーワード設定ユニットは、前記アプリケーションファイルに、前記キーワードモデルに基づいて前記入力音において前記特定のターゲットキーワードを検出したことに応答して前記アプリケーションをアクティブ化するために前記特定のターゲットキーワードを割り当てるように構成される、請求項１５に記載の電子デバイス。
【請求項２３】
前記入力音を受信するように構成された音センサーと、
前記キーワードモデルに基づいて前記入力音に前記特定のターゲットキーワードが含まれるかどうかを検出するように構成されたキーワード検出ユニットと、
前記入力音に前記特定のターゲットキーワードが含まれることを検出したことに応答して、前記アプリケーションをアクティブ化するように構成された機能管理ユニットと
をさらに備える、請求項２２に記載の電子デバイス。
【請求項２４】
前記入力音を受信するように構成された音センサーと、
前記キーワードモデルに基づいて前記入力音に前記特定のターゲットキーワードが含まれるかどうかを検出するように構成されたキーワード検出ユニットと、
前記入力音に前記特定のターゲットキーワードが含まれることを検出したことに応答して前記機能を実行するように構成された機能管理ユニットと
をさらに備える、請求項１５に記載の電子デバイス。
【請求項２５】
複数のターゲットキーワードからなるリストから特定のターゲットキーワードを選択する入力を受信するための手段と、
前記特定のターゲットキーワードに応答して、通信ネットワークを介して、キーワードデータファイルを受信するための手段と、前記キーワードデータファイルは、前記特定のターゲットキーワードに関するキーワードモデルを含み、互換性情報を含む、
前記互換性情報に基づいて、前記キーワードデータファイルが入力音においてキーワードを検出するための手段との互換性があるかどうかを決定するための手段と、ここにおいて、前記キーワードデータファイルを受信するための前記手段は、前記キーワードデータファイルが前記入力音においてキーワードを検出するための前記手段との互換性がないという決定に基づいて、前記キーワードモデルの第２のバージョンを受信するように構成される、
電子デバイスにおいて受信された前記入力音が前記特定のターゲットキーワードを含むことを、前記キーワードモデルに基づいて検出したことに応答して機能がアクティブ化されるように、前記入力に応答して前記機能に前記特定のターゲットキーワードを割り当てるための手段と
を備える電子デバイス。
【請求項２６】
前記キーワードモデルを受信するための前記手段は、応答音データを受信するように構成され、キーワードを検出するための前記手段は、前記入力音に前記特定のターゲットキーワードが含まれるかどうかを決定するように構成され、前記電子デバイスは、
前記入力音を受信するための手段と、
前記入力音に前記特定のターゲットキーワードが含まれることを検出したことに応答して、前記特定のターゲットキーワードに関連する前記応答音データに基づいて応答音を生成するための手段と
をさらに備える、請求項２５に記載の電子デバイス。
【請求項２７】
前記キーワードデータファイルが、前記入力音においてキーワードを検出するための前記手段との互換性があるという決定に応答して、前記キーワードデータファイルから前記キーワードモデルを抽出するための手段
をさらに備える、請求項２５に記載の電子デバイス。
【請求項２８】
前記キーワードモデルの前記第２のバージョンは、キーワードを検出するための前記手段との互換性があり、前記キーワードモデルの前記第２のバージョンを記憶することをさらに備える、請求項２７に記載の電子デバイス。
【請求項２９】
命令を記憶する非一時的コンピュータ可読記憶媒体であって、前記命令が、
電子デバイスにおいて、複数のターゲットキーワードからなるリストを受信することと、前記リストが通信ネットワークを介して受信される、
前記複数のターゲットキーワードからなる前記リストから特定のターゲットキーワードを選択するユーザ入力を受信することと、
前記ユーザ入力に応答して、
前記通信ネットワークを介して、キーワードデータファイルを受信することと、前記キーワードデータファイルは、前記特定のターゲットキーワードに関するキーワードモデルを含み、互換性情報を含む、
前記互換性情報に基づいて、前記キーワードデータファイルが前記電子デバイスとの互換性があるかどうかを決定することと、
前記キーワードデータファイルがキーワード検出ユニットとの互換性がないという決定に基づいて前記キーワードモデルの第２のバージョンを受信することと、
前記電子デバイスにおいて受信された入力音が前記特定のターゲットキーワードを含むことを、前記キーワードモデルに基づいて検出したことに応答して前記電子デバイスの機能がアクティブ化されるように、前記電子デバイスにおいて、前記機能に前記特定のターゲットキーワードを割り当てることと
をプロセッサに行わせる、非一時的コンピュータ可読記憶媒体。
【請求項３０】
前記キーワードモデルは、ユーザ固有ではなく、前記特定のターゲットキーワードの言語の音素のサブセットをモデル化するための情報を含む、請求項２９に記載の非一時的コンピュータ可読記憶媒体。